【手続補正書】
【提出日】令和2年8月26日(2020.8.26)
【手続補正１】
【補正対象書類名】特許請求の範囲
【補正対象項目名】全文
【補正方法】変更
【補正の内容】
【特許請求の範囲】
【請求項１】
被検眼の三次元画像を取得する取得手段と、
前記三次元画像に基づいてＥｎＦａｃｅ画像を生成する対象範囲を選択する対象範囲選択手段と、
前記Ｅｎｆａｃｅ画像を生成するための投影方法を、前記対象範囲に応じて決定する投影方法決定手段と、
前記選択された対象範囲のＥｎＦａｃｅ画像を、前記決定された投影方法を用いて生成するＥｎＦａｃｅ画像生成手段と、を有することを特徴とする画像処理装置。
【請求項２】
被検眼の三次元画像を取得する取得手段と、
前記三次元画像に基づいてＥｎＦａｃｅ画像を生成する対象範囲を示すモードを複数のモードから選択する選択手段と、
前記Ｅｎｆａｃｅ画像を生成するための投影方法を、前記選択されたモードに応じて決定する投影方法決定手段と、
前記選択されたモードにより示される対象範囲のＥｎＦａｃｅ画像を、前記決定された投影方法を用いて生成するＥｎＦａｃｅ画像生成手段と、を有することを特徴とする画像処理装置。
【請求項３】
前記対象範囲は、深さ方向の範囲であることを特徴とする請求項１または請求項２に記載の画像処理装置。
【請求項４】
前記対象範囲は、深さ方向に直交する平面における範囲であることを特徴とする請求項１または請求項２に記載の画像処理装置。
【請求項５】
前記複数のモードは、それぞれ異なる深さの対象範囲を示すモードであることを特徴とする請求項２記載の画像処理装置。
【請求項６】
前記複数のモードは、深さ方向に直交する平面におけるそれぞれ異なる対象範囲を示すモードであることを特徴とする請求項２記載の画像処理装置。
【請求項７】
前記対象範囲は、深さ方向の範囲であり、
前記複数のモードには第１モードおよび第２モードが含まれ、
前記第１モードにはＯＰＬ（Ｏｕｔｅｒ  Ｐｌｅｘ  Ｌａｙｅｒ）とＯＮＬ（Ｏｕｔｅｒ  Ｎｕｃｌｅａｒ  Ｌａｙｅｒ）との境界およびブルッフ膜に基づいて規定される範囲が前記対象範囲として対応付けられ、前記第２モードにはＩＬＭ（Ｉｎｎｅｒ  Ｎｕｃｌｅａｒ  Ｌａｙｅｒ）およびＧＣＬ（Ｇａｎｇｌｉｏｎ  Ｃｅｌｌ  Ｌａｙｅｒ）とＩＰＬ（Ｉｎｎｅｒ  Ｐｌｅｘｉｆｏｒｍ  Ｌｙａｅｒ）との境界に基づいて規定される範囲が前記対象範囲として対応付けられており、
前記投影方法決定手段は、前記第１モードが選択された場合には前記投影方法を最大値投影に決定し、前記第２モードが選択された場合には前記投影方法を平均値投影に決定することを特徴とする請求項２記載の画像処理装置。
【請求項８】
前記投影方法決定手段により決定された投影方法に用いて生成された前記Ｅｎｆａｃｅ画像を表示部に表示させるに表示制御手段をさらに有することを特徴とする請求項１から７に記載の画像処理装置。
【請求項９】
被検眼の三次元画像を取得する取得手段と、
前記三次元画像の対象範囲に基づいて複数の投影方法を用いて複数のＥｎＦａｃｅ画像を生成するＥｎＦａｃｅ画像生成手段と、
前記対象範囲に応じて前記複数のＥｎＦａｃｅ画像に優先度を付与する優先度決定手段と、
前記複数のＥｎＦａｃｅ画像に付与された優先度に基づいて表示部に前記複数のＥｎＦａｃｅ画像を表示させる表示制御手段と、を備える画像処理装置。
【請求項１０】
被検眼の三次元画像を取得する取得工程と、
前記三次元画像に基づいてＥｎＦａｃｅ画像を生成する対象範囲を選択する対象範囲選択工程と、
前記Ｅｎｆａｃｅ画像を生成するための投影方法を、前記対象範囲に応じて決定する投影方法決定工程と、
前記選択された対象範囲のＥｎＦａｃｅ画像を、前記決定された投影方法を用いて生成するＥｎＦａｃｅ画像生成工程と、を有することを特徴とする画像処理方法。
【請求項１１】
被検眼の三次元画像を取得する取得工程と、
前記三次元画像に基づいてＥｎＦａｃｅ画像を生成する対象範囲を示すモードを複数のモードから選択する選択工程と、
前記Ｅｎｆａｃｅ画像を生成するための投影方法を、前記選択されたモードに応じて決定する投影方法決定工程と、
前記選択されたモードにより示される対象範囲のＥｎＦａｃｅ画像を、前記決定された投影方法を用いて生成するＥｎＦａｃｅ画像生成工程と、を有することを特徴とする画像処理方法。
【請求項１２】
被検眼の三次元画像を取得する取得工程と、
前記三次元画像の対象範囲に基づいて複数の投影方法を用いて複数のＥｎＦａｃｅ画像を生成するＥｎＦａｃｅ画像生成工程と、
前記対象範囲に応じて前記複数のＥｎＦａｃｅ画像に優先度を付与する優先度決定工程と、
前記複数のＥｎＦａｃｅ画像に付与された優先度に基づいて表示部に前記複数のＥｎＦａｃｅ画像を表示させる表示制御工程と、を備える画像処理方法。
【請求項１３】
請求項１乃至９の何れか１項に記載の画像処理装置を、コンピュータで実現するためのコンピュータプログラム。
【手続補正２】
【補正対象書類名】明細書
【補正対象項目名】０００９
【補正方法】変更
【補正の内容】
【０００９】
本明細書に開示の画像処理装置は、被検眼の三次元画像を取得する取得手段と、前記三次元画像に基づいてＥｎＦａｃｅ画像を生成する対象範囲を選択する対象範囲選択手段と、前記Ｅｎｆａｃｅ画像を生成するための投影方法を、前記対象範囲に応じて決定する投影方法決定手段と、前記選択された対象範囲のＥｎＦａｃｅ画像を、前記決定された投影方法を用いて生成するＥｎＦａｃｅ画像生成手段と、を有する。
【手続補正３】
【補正対象書類名】明細書
【補正対象項目名】００４９
【補正方法】変更
【補正の内容】
【００４９】
元データ入力部４０１は、断層像データやモーションコントラストデータなど、Ｅｎｆａｃｅ画像を生成するための元データを取得し、対象範囲選択部４０２、およびＥｎｆａｃｅ画像生成部４０４に通知する。具体的には、元データ入力部４０１は、再構成部３０１が生成した三次元断層像データおよびモーションコントラスト生成部３０２が生成した三次元モーションコントラストデータを取得し、対象範囲選択部４０２、およびＥｎｆａｃｅ画像生成部４０４に入力する。ここで、三次元断層像データおよび三次元モーションコントラストデータは三次元画像の一例に相当する。そして、元データ入力部４０１は、被検眼の三次元画像を取得する取得手段の一例に相当する。なお、元データ入力部４０１は、Ｅｎｆａｃｅ画像生成部４０４にのみ元データを入力することとしてもよい。なお、元データには三次元断層像データおよび三次元モーションコントラストデータが含まれる。
【手続補正４】
【補正対象書類名】明細書
【補正対象項目名】００８５
【補正方法】変更
【補正の内容】
【００８５】
ここで、処理の流れを図１１のフローチャートを用いて説明する。Ｓ５０１において、ユーザの入力に応じてあるいは自動的に、Ｅｎｆａｃｅ画像を生成する深度範囲を含む対象範囲を選択する。Ｓ１１０１において、Ｅｎｆａｃｅ画像生成部４０４は、ＭＩＰ−Ｅｎｆａｃｅ画像とＡＩＰ−Ｅｎｆａｃｅ画像とを生成する。Ｓ５０２において、優先度決定部１２０１は、対象範囲における深度範囲が観察対象に対して例えば十分に狭い場合、Ｓ１１０３でＡＩＰ−Ｅｎｆａｃｅ画像の優先度をＭＩＰ−Ｅｎｆａｃｅ画像の優先度より高くする。Ｓ５０２において、優先度決定部１２０１は、対象範囲における深度範囲が観察対象に対して広い場合、Ｓ１１０２でＭＩＰ−Ｅｎｆａｃｅ画像の優先度をＡＩＰ−Ｅｎｆａｃｅ画像の優先度より高くする。Ｓ１１０４において、優先度の高いＥｎｆａｃｅ画像を表示する。なお、優先度決定部１２０１は、Ｅｎｆａｃｅ画像を生成する深度範囲が閾値より大きい場合に、ＭＩＰ−Ｅｎｆａｃｅ画像の優先度をＡＩＰ−Ｅｎｆａｃｅ画像の優先度より高くし、Ｅｎｆａｃｅ画像を生成する深度範囲が閾値より小さい場合に、ＡＩＰ−Ｅｎｆａｃｅ画像の優先度をＭＩＰ−Ｅｎｆａｃｅ画像の優先度より高くしてもよい。